(57)【要約】【課題】容易かつ適切にヒレを切除でき、安全性が高く、また上下のヒレを同時に切除できるヒレ切除工具を提供する。【解決手段】ヒレ付電線５３の外形と略同形状に形成された内面を有し、ヒレ付電線５３を挟み込むべく２分割構造に形成された分割ブロック体２ａ，２ｂと、分割ブロック体２ａ，２ｂ同士を互いの間隔を変更可能に連結する連結部材６と、分割ブロック体２ａ，２ｂに回動自在に取り付けられ、その刃先２１が分割ブロック体２ａ，２ｂの内側に対して進退する切断刃１６と、刃先２１が分割ブロック体２ａ，２ｂの内側に進出する方向に切断刃１６を付勢する付勢手段２５と、切断刃１６の回動範囲を規制して、刃先２１の分割ブロック体２ａ，２ｂの内側への進出量を調整する食い込み量調整手段３０とを備えたものである。【選択図】　　　　図１
2004015927.tif 000002
【特許請求の範囲】
【請求項１】
導体を覆う絶縁体の表面から突出したヒレを有するヒレ付電線のヒレを切除するためのヒレ切除工具において、
上記ヒレ付電線の外形と略同形状に形成された内面を有し、その内面で上記ヒレ付電線を挟み込むべく２分割構造に形成された分割ブロック体からなる工具本体と、
上記分割ブロック体同士を互いの間隔を変更可能に連結する連結部材と、
上記分割ブロック体に回動自在に取り付けられ、それが回動することによってその刃先が上記分割ブロック体の内側に対して進出又は後退する切断刃と、
上記切断刃を、その刃先が上記分割ブロック体の内側に進出する方向に付勢する付勢手段と、
上記切断刃の回動範囲を規制し、上記刃先の上記分割ブロック体の内側への進出量を調整する食い込み量調整手段とを備えたことを特徴とするヒレ切除工具。
【請求項２】
上記食い込み量調整手段は、上記切断刃の刃先が上記ヒレ付電線のヒレの根本部まで食い込むように調整される請求項１記載のヒレ切除工具。
【請求項３】
上記切断刃は、上記分割ブロック本体の前面部に回動自在に設けられ、
上記食い込み量調整手段は、上記分割ブロック本体に形成されたねじ穴と、そのねじ穴に螺合され、先端部が上記分割ブロック本体の前面部から突出すると共に、その突出量が調節可能な押さえねじからなり、
上記切断刃が所定角度回動すると、上記押さえねじの先端部と上記切断刃とが係合する請求項１又は２記載のヒレ切除工具。
【請求項４】
上記連結部材は、上記分割ブロック体それぞれに形成されたブラケット部と、一方の分割ブロック体のブラケット部に形成されたねじ穴と、他方の分割ブロック体のブラケット部に形成されたボルト挿通穴と、上記ボルト挿通穴に分割ブロック体の外側から挿通され、かつ先端部が上記ねじ穴に螺合されるボルトと、そのボルトのボルトヘッドと上記ボルト挿通穴が形成されたブラケット部との間に介設された弾性部材とを備えた請求項１〜３いずれかに記載のヒレ切除工具。
【請求項５】
上記切断刃の上記刃先が、上記ヒレ付電線の上記絶縁体とほぼ同じ曲率で湾曲している請求項１〜４いずれかに記載のヒレ切除工具。
【請求項６】
上記切断刃を覆うように、上記分割ブロック体に安全カバーが取り付けられた請求項１〜５いずれかに記載のヒレ切除工具。
【発明の詳細な説明】
【０００１】
【発明の属する技術分野】
本発明は、ヒレ付電線のヒレ切除を容易かつ適切に行えるように改良したヒレ切除工具に関するものである。
【０００２】
【従来の技術】
例えば、寒冷地で使用するための電線として、電線の外周に雪が付着しづらくするために絶縁体の表面にヒレを設けた難着雪ヒレ付電線が知られている。
【０００３】
このヒレ付電線は、図８（ａ）に示すように、導体５０と、その導体５０を覆う円状の絶縁体５１と、絶縁体５１の表面から径方向外側に突出して形成され、絶縁体５１の長手方向（紙面前後方向）に延びるヒレ５２とを有している。図８（ａ）に示したヒレ付電線５３は、絶縁体５１の上下２ヶ所にヒレ５２を有している。
【０００４】
ところで、このヒレ付電線５３を使用する際には、その端部から所定距離間のヒレ５２を切除する必要がある。
【０００５】
そこで従来は、図９に示すような形状のナイフ５４を用いてヒレ５２を切除していた。
【０００６】
【発明が解決しようとする課題】
しかしながら、ナイフ５４によるヒレ切除作業は熟練性が必要とされ、ヒレ５２を均一に切除することが困難であった。例えば、図８（ｂ）に示すように、ヒレ５２のみならず、その下の絶縁体５１まで切除してしまったり、逆に、ヒレ５２の根本部が残ってしまうなど、いわゆる切除ムラが生じる場合があったのである。
【０００７】
また通常、ヒレ付電線５３は、図１０に示すように、ドラム５５に巻かれた状態で保管されているが、このヒレ付電線５３の下側に位置するヒレ５２ｂを切除しようとした場合、作業者からヒレ５２ｂが見えずらく手探りでの作業となるため、より困難な作業となる。特に、難着雪ヒレ付電線は剛性が大きく捻ることが困難であるため、視界の悪い状態で作業せざるを得ない。
【０００８】
また、ナイフ５４は刃がむき出しになっているため、ヒレ５２からナイフ５４が外れた場合などに作業者の手を傷つける虞もある。
【０００９】
更に、ナイフ５４によりヒレ５２を切除する場合、上下のヒレ５２を一本ずつ切除する必要があるため作業効率が悪く、切除作業に時間がかかるといった問題もあった。
【００１０】
そこで、本発明の目的は、上記課題を解決し、容易かつ適切にヒレを切除でき、安全性が高く、また上下のヒレを同時に切除できるヒレ切除工具を提供することにある。
【００１１】
【課題を解決するための手段】
上記目的を達成するために本発明は、ヒレ付電線の外形と略同形状に形成された内面を有し、その内面で上記ヒレ付電線を挟み込むべく２分割構造に形成された分割ブロック体からなる工具本体と、分割ブロック体同士を互いの間隔を変更可能に連結する連結部材と、上記分割ブロック体に回動自在に取り付けられ、それが回動することによってその刃先が上記分割ブロック体の内側に対して進出又は後退する切断刃と、上記切断刃を、その刃先が上記分割ブロック体の内側に進出する方向に付勢する付勢手段と、上記切断刃の回動範囲を規制し、上記刃先の上記分割ブロック体の内側への進出量を調整する食い込み量調整手段とを備えたものである。
【００１２】
ここで、上記食い込み量調整手段は、上記切断刃の刃先が上記ヒレ付電線のヒレの根本部まで食い込むように調整されることが好ましい。
【００１３】
また、上記切断刃は、上記分割ブロック本体の前面部に回動自在に設けられ、上記食い込み量調整手段は、上記分割ブロック本体に形成されたねじ穴と、そのねじ穴に螺合され、先端部が上記分割ブロック本体の前面部から突出すると共に、その突出量が調節可能な押さえねじからなり、上記切断刃が所定角度回動すると、上記押さえねじの先端部と上記切断刃とが係合するようにしても良い。
【００１４】
また、上記連結部材は、上記分割ブロック体それぞれに形成されたブラケット部と、一方の分割ブロック体のブラケット部に形成されたねじ穴と、他方の分割ブロック体のブラケット部に形成されたボルト挿通穴と、上記ボルト挿通穴に分割ブロック体の外側から挿通され、かつ先端部が上記ねじ穴に螺合されるボルトと、そのボルトのボルトヘッドと上記ボルト挿通穴が形成されたブラケット部との間に介設された弾性部材とで構成されるようにしても良い。
【００１５】
また、上記切断刃の上記刃先が、上記ヒレ付電線の上記絶縁体とほぼ同じ曲率で湾曲するようにしても良い。
【００１６】
また、上記切断刃を覆うように、上記分割ブロック体に安全カバーを取り付けることが好ましい。
【００１７】
【発明の実施の形態】
以下、本発明の好適な一実施形態を添付図面に基づいて詳述する。
【００１８】
図１は本実施形態に係るヒレ切除工具の斜視図であり、図２はその正面断面図であり、図３はその部分拡大側面断面図である。なお、図１では、明瞭化のために、安全カバー３５を分解した状態で示している。
【００１９】
図に示すように、ヒレ切除工具１は、上下２ヶ所にヒレ５２が形成されたヒレ付電線５３を、上下方向から挟み込むように２分割構造に形成された分割ブロック体２ａ，２ｂからなる工具本体３を有している。各分割ブロック体２ａ，２ｂはそれぞれ、ヒレ付電線５３の上下半分の外形とほぼ同形状の内面を有している。即ち、図２に示すように、分割ブロック体２ａ，２ｂの内面は、ヒレ付電線５３の絶縁体５１とほぼ同じ曲率で湾曲した電線収容部４と、ヒレ付電線５３のヒレ５２とほぼ同形状に形成されたヒレ収容溝５とを有している。
【００２０】
これら分割ブロック体２ａ，２ｂは、連結部材６を介して互いの間隔を若干変更可能に連結され、それによって、分割ブロック体２ａ，２ｂ間にヒレ付電線５３の収容スペース７が形成される。
【００２１】
ここで、ヒレ付電線５３を収容スペース７内に挿入する際に容易に挿入できるようにするために、収容スペース７のサイズがヒレ付電線５３のサイズよりも若干大きくなるように、各分割ブロック体２ａ，２ｂの内面形状が設定される。本実施形態では、分割ブロック体２ａ，２ｂの内面によって形成される収容スペース７の電線収容径Ｄが、図８（ａ）に示すヒレ付電線５３の絶縁体５１の直径ｄよりも０．５ｍｍ大きく、収容スペース７のヒレ収容溝５の高さＨが、図８（ａ）に示すヒレ高さｈよりも０．３ｍｍ大きく、収容スペース７のヒレ収容溝５の幅Ｗが、図８（ａ）に示すヒレ幅ｗよりも０．３ｍｍ大きくなるように設定される。
【００２２】
なお、本発明はこれらの寸法について制約を受けるものではないが、収容スペース７のサイズをあまり大きくしすぎると、その内部に収容したヒレ付電線５３との間にガタが発生し、ヒレ５２を適切に切除することが困難になるため、大きなガタの生じない範囲で設定することが好ましい。
【００２３】
分割ブロック体２ａ，２ｂ同士を連結する連結部材６は、各分割ブロック体２ａ，２ｂの両側部に形成されたブラケット部８ａ，８ｂと、下側の分割ブロック体２ｂのブラケット部８ｂに形成されたねじ穴９と、上側の分割ブロック体２ａのブラケット部８ａに開口形成されたボルト挿通穴１０と、そのボルト挿通穴１０内に外側（上側）から挿通され、下側分割ブロック体２ｂのブラケット部８ｂのねじ溝９に螺合された連結ボルト１１と、この連結ボルト１１のボルトヘッド１１ａと上側分割ブロック体２ａのブラケット８ａとの間に介設された弾性部材（ここでは、コイルバネ）１２とからなる。
【００２４】
これによって、下側分割ブロック体２ｂは連結ボルト１１と一体的に連結され、上側分割ブロック体２ａは連結ボルト１１の軸部１１ｂに沿って上下方向に移動できるようになっている。上側分割ブロック体２ａが上下方向に移動することによって、分割ブロック体２ａ，２ｂ同士の間隔が調節・変更される。
【００２５】
また、上側分割ブロック体２ａはコイルバネ１２によって下側分割ブロック体２ｂと接近する方向に付勢されている。従って、分割ブロック体２ａ，２ｂ間の収容スペース７にヒレ付電線５３を収容すると、上側分割ブロック体２ａの内面がコイルバネ１２の付勢力によってヒレ付電線５３に対して適切な押付力で当接される。
【００２６】
そして、ヒレ付電線５３を収容スペース７内に挿入するときに、ヒレ付電線５３の外径のばらつきや変形などによってその外径が変化した場合、上側分割ブロック体２ａが連結ボルト１１の軸部１１ｂに沿って上下に移動する。この結果、分割ブロック体２ａ，２ｂの間隔が変化してヒレ付電線５３の外径変化を吸収する。なお、ねじ穴９を上側の分割ブロック体２ａのブラケット部８ａに形成すると共に、ボルト挿通穴１０を下側の分割ブロック体２ｂのブラケット部８ｂに形成し、下側の分割ブロック体２ｂが連結ボルト１１に対して上下に移動できるようにしても良いことは勿論である。
【００２７】
図３に示すように、分割ブロック体２ａ，２ｂの内面（図では上側分割ブロック体２ａのみ示す）の前後方向両端部１４には面取加工が施されており、ヒレ付電線５３の挿入を容易にすると共に、ヒレ付電線５３を挿入する際にヒレ付電線５３を傷つけることを防止している。
【００２８】
さて、図１に示すように、分割ブロック体２ａ，２ｂの前面部１５において、分割ブロック体２ａ，２ｂ内面のヒレ溝５と対応した位置には、ヒレ付電線５３のヒレ５２を切除するための切断刃１６が設けられている。切断刃１６は、分割ブロック体２ａ，２ｂの前面部１５に設けられた取付ブラケット１７にピン１８を介して回動自在に設けられた基部１９と、その基部１９に固定された刃部２０とからなる。刃部２０は、図３に示すように、先端部の刃先２１と、本体部２２と、後述する食い込み量調整手段３０と係合する回動規制部２３とを有している。
【００２９】
切断刃１６がピン１８を中心に回動すると、刃部２０の刃先２１が分割ブロック体２ａ，２ｂの内側（収容スペース７側）に対して進出又は後退するようになっている。即ち、切断刃１６が図３中矢印Ａで示す方向に回動すると刃先２１が分割ブロック体２ａ，２ｂの内側方向に進出し、逆に矢印Ｂで示す方向に回動すると刃先２１が分割ブロック体２ａ，２ｂの内側に対して後退、即ち、分割ブロック体２ａ，２ｂの外側方向へ移動する。
【００３０】
図１に示すように、切断刃１６の刃先２１はヒレ付電線５３の絶縁体５１とほぼ同じ曲率で湾曲している。これによって、ヒレ付電線５３の絶縁体５１を傷つけることなく、ヒレ５２のみを正確に切断できる。
【００３１】
切断刃１６は、ピン１８の外周部に設けられた押さえバネ（付勢手段）２５によって、その刃先２１が分割ブロック体２ａ，２ｂの内側に進出する方向（図３中矢印Ａで示す方向）に付勢されている。従って、ヒレ付電線５３を収容スペース７内に収容したときに、切断刃１６の刃先２１はヒレ付電線５３のヒレ５２に食い込む方向に付勢されることになる。
【００３２】
図３に示すように、ヒレ切除工具１は更に、切断刃１６の回動範囲を規制し、それによって切断刃１６の刃先２１の、分割ブロック体２ａ，２ｂの内側への進出量を調整する食い込み量調整手段３０を備えている（図３では上側分割ブロック体２ａに設けられた食い込み量調整手段３０のみが示されている）。本実施形態の食い込み量調整手段３０は、分割ブロック体２ａ，２ｂを前後方向に貫通するねじ穴３１と、そのねじ穴３１に分割ブロック体２ａ，２ｂの後面３３側から螺合され、先端部が分割ブロック体２ａ，２ｂの前面部１５から突出した押さえねじ３２とからなる。
【００３３】
切断刃１６が、図中矢印Ａで示す方向、即ち、刃先２１がヒレ付電線５３のヒレ５２に食い込む方向に所定角度回動すると、押さえねじ３２の先端部と切断刃１６の回動規制部２３とが係合し、切断刃１６はそれ以上回動することができなくなる。これが、切断刃１６の回動限界である。そして、このときの刃先２１の位置がヒレ付電線５３のヒレ５２への食い込み限界である。押さえねじ３２を回転させて分割ブロック体２ａ，２ｂの前面部１５からの突出量を変更することによって、切断刃１６の回動範囲を調整できる。
【００３４】
切断刃１６の回動範囲は、刃先２１が収容スペース７内に収容されたヒレ付電線５３のヒレ５２の根本部まで食い込むように調節される。これによって、切断刃１６は正確にヒレ５２のみを切除することができ、ヒレ付電線５３の絶縁体５１まで除去してしまったり、ヒレ５２の一部を残してしまうといった切除ムラが生じることはない。
【００３５】
更に、ヒレ切除工具１は、図１に示すように、切断刃１６を覆うように形成された安全カバー３５を備えている。安全カバー３５は、箱状に形成され、ヒレ付電線５３の絶縁体５１とほぼ同じ曲率で形成された電線収容部３６と、切断刃１６によって切断されたヒレ５２を逃がすための逃がし溝３７とを有している。安全カバー３５は止めねじ４０により分割ブロック体２ａ，２ｂにそれぞれ固定される。
【００３６】
次に、本実施形態のヒレ切除工具１を用いたヒレ切除方法を説明する。
【００３７】
最初に、切除すべきヒレ付電線５３のヒレ高さに合わせて、刃先２１の分割ブロック体２ａ，２ｂの内側への進出限界（ヒレ５２への食い込み限界）がヒレ５２の根本部に位置するように、押さえねじ３２の突出量、即ち、切断刃１６の回動範囲を調節する。
【００３８】
そして、図４に示すように、ヒレ付電線５３の端部にヒレ切除工具１を位置させ、ヒレ付電線５３を分割ブロック体２ａ，２ｂの後面部３３側から収容スペース７内に挿入する。このとき、ヒレ付電線５３のヒレ５２の位置と、ヒレ切除工具１の分割ブロック体２ａ，２ｂ内面のヒレ溝５の位置とを合わせる。切断刃１６は押さえバネ２５の付勢力によって回動限界まで回動されている。従って、切断刃１６の刃先２１は分割ブロック体２ａ，２ｂの内側（収容スペース７側）の進出限界に位置する。
【００３９】
ヒレ付電線５３を収容スペース７内に挿入していくと、ヒレ付電線５３の外周部が切断刃１６の本体２２に突き当たり、図５に示すように、切断刃１６を押さえバネ２５の付勢力に対向して分割ブロック体２ａ，２ｂの外側（矢印Ｂ方向）へと回動させる。これにより、切断刃１６の刃先２１が後退し、ヒレ付電線５３の挿入が可能となる。
【００４０】
そして、切断刃１６の刃先２１が、ヒレ付電線５３の端部からヒレ除去距離Ｌを隔てた位置に位置するまでヒレ切除工具１を移動させる。
【００４１】
次に、図６に示すように、ヒレ切除工具１をヒレ付電線５３の端部側に向かってこれまでとは逆方向に移動させる。そうすると、押さえバネ２５の付勢力によって切断刃１６がピン１８を中心に回動（矢印Ａ方向）して刃先２１が収容スペース７側へ進出し、ヒレ付電線５３のヒレ５２に食い込む。切断刃１６が所定角度回動すると、回動規制部２３が押さえねじ３２の先端部と係合し、切断刃１６の回動が規制される。このとき、刃先２１はヒレ付電線５３のヒレ５２の根本部に位置する。
【００４２】
そして、この状態でヒレ切除工具１をヒレ付電線５３の端部方向へと移動すると、上下分割ブロック体２ａ，２ｂの各切断刃１６が、それぞれヒレ付電線５３の上下のヒレ５２を同時に切除する。
【００４３】
このように、本実施形態のヒレ切除工具によれば、容易かつ正確にヒレの切除作業を実行できる。
【００４４】
また、分割ブロック体２ａ，２ｂ同士の間隔を変更できるため、ヒレ付電線５３の挿入を容易に行うことができる。
【００４５】
また、図１０に示すようにドラム５５に巻かれているヒレ付電線５３の下側のヒレ５２ｂを切除する場合などのように、視界の悪い状態での作業であっても、ヒレ付電線５３を収容スペース７に挿入する際にそのヒレ５２とヒレ切除工具１のヒレ溝５とを合わせておけば、切断刃１６がヒレ５２から外れることはなく、容易かつ確実にヒレ５２を切除できる。
【００４６】
また、切断刃１６の刃先２１のヒレ５２への食い込み量が食い込み量規制手段３０により規制されるため、特に慎重な作業をしなくても確実にヒレ５２のみを切除できる。
【００４７】
作業に熟練性を必要としないため、作業者が異なっても常に品質の良いヒレ切除作業が行える。
【００４８】
２ヶ所のヒレ５２を１回の動作で同時に切除できるため効率が良く、作業時間を短縮できる。
【００４９】
切断刃１６がヒレ５２から外れる虞がなく、また安全カバー３５によって覆われているため安全性が非常に高い。
【００５０】
モータ等動力源を必要としないため、低コストで提供できる。
【００５１】
次に、本発明の他の実施形態を説明する。
【００５２】
図７に示したヒレ切除工具４０は、２分割構造に形成された分割ブロック体４１ａ，４１ｂ同士をリンク機構４２及びコイルばね４３を介して連結したものである。
【００５３】
リンク機構４２が回動することで分割ブロック体４１ａ，４１ｂ同士の間隔を変更・調整できる。また、コイルバネ４３によって両分割ブロック体４１ａ，４１ｂは互いに接近する方向に付勢される。この形態においても、図１のヒレ切除工具１と同様の効果を得ることができる。
【００５４】
このように、本発明の連結機構は図１に示したものに限定されず、分割ブロック体同士の間隔を変更・調節できるように連結できるものであれば良い。
【００５５】
更に、切断刃の回動範囲を規制する食い込み量調整手段についても図３に示したものに限定はされず、様々な手段を用いることができる。
【００５６】
また、本発明は上下２ヶ所にヒレを有するヒレ付電線のヒレを切除するものに限定されず、１ヶ所や３ヶ所以上にヒレを有するタイプのヒレ付電線のヒレを切除するように適用できることは勿論である。
【００５７】
【発明の効果】
以上要するに本発明によれば、以下に示す如く優れた効果を発揮するものである。
【００５８】
１）ヒレを容易かつ適切に切除できる（熟練性を必要としない）。
【００５９】
２）２本のヒレを同時に作業できるため、作業効率が向上する。
【００６０】
３）安全性が高い。
【図面の簡単な説明】
【図１】本発明の一実施形態に係るヒレ切除工具の斜視図である。
【図２】図１のヒレ切除工具の正面断面図である。
【図３】図１のヒレ切除工具の部分拡大側面図である。
【図４】ヒレ切除工具をヒレ付電線の端部に配置した状態を示す側面断面図である。
【図５】ヒレ付電線をヒレ切除工具内に挿入した状態を示す側面断面図である。
【図６】ヒレ切除工具によりヒレ付電線のヒレを切除する状態を示す側面断面図である。
【図７】本発明の他の実施形態に係るヒレ切除工具の斜視図である。
【図８】（ａ）はヒレ付電線の断面図である。
（ｂ）はヒレ付電線の絶縁体まで切除してしまった状態を示す断面図である。
【図９】従来のヒレ切除作業に使用していたナイフの斜視図である。
【図１０】ドラムに巻かれたヒレ付電線を示す図である。
【符号の説明】
１　ヒレ切除工具
２ａ　上側分割ブロック体
２ｂ　下側分割ブロック体
３　工具本体
６　連結部材
１２　コイルバネ（弾性部材）
１６　切断刃
２１　刃先
２５　押さえバネ（付勢手段）
３０　食い込み量調整手段
３５　安全カバー
５１　絶縁体
５２　ヒレ
５３　ヒレ付電線
【図１】
2004015927.tif 000003
【図２】
2004015927.tif 000004
【図３】
2004015927.tif 000005
【図４】
2004015927.tif 000006
【図５】
2004015927.tif 000007
【図６】
2004015927.tif 000008
【図７】
2004015927.tif 000009
【図８】
2004015927.tif 000010
【図９】
2004015927.tif 000011
【図１０】
2004015927.tif 000012